(57)【特許請求の範囲】
【請求項１】
浴室の洗い場床を洗浄または除菌する洗い場吐水装置であって、
吐水部であって、水を一時的に溜める貯水部と、前記貯水部に溜まった水を洗い場床上に吐出する吐水口と、を有する吐水部と、
制御部であって、前記吐水部から水を前記洗い場床上に吐出させる洗い場吐水モードと、前記洗い場吐水モードを実行した後に、前記吐水部からの水の吐出を停止させた状態で前記貯水部に残留した水の少なくとも一部を排出する残留水排出モードと、を実行する制御部と、を備え、
前記制御部は、前記残留水排出モードにおいて前記吐水部を振動させることを特徴とする洗い場吐水装置。
【請求項２】
前記残留水排出モードは、前記貯水部に残留した水が前記洗い場床上に落下する位置が変化するように前記吐水口の位置を変化させながら前記吐水部を振動させる第１の振動工程を有することを特徴とする請求項１に記載の洗い場吐水装置。
【請求項３】
前記残留水排出モードは、前記第１の振動工程の後に実行される第２の振動工程であって、前記第１の振動工程において前記吐水部に生じる振動とは異なる振動を前記吐水部に生じさせる第２の振動工程を有することを特徴とする請求項２に記載の洗い場吐水装置。
【請求項４】
前記第２の振動工程において、前記制御部は、前記吐水口の位置を複数の方向に移動させ、
前記第２の振動工程において前記吐水口が移動する範囲は、前記第１の振動工程において前記吐水口が移動する範囲よりも狭いことを特徴とする請求項３に記載の洗い場吐水装置。
【発明の詳細な説明】
【技術分野】
【０００１】
本発明の態様は、一般的に、吐水装置に関する。
【背景技術】
【０００２】
例えば、浴室の洗い場床には、人体の洗浄に使用された石鹸やシャンプーなどのかす、人体から発生したアカ（タンパク質系、炭水化物系、油脂系、塩類等）などの汚れが付着する。このような汚れに起因した菌を除菌するための洗浄装置が提案されている。
【０００３】
特許文献１に開示された洗浄装置では、浴室のカウンタの下方に吐水可能な吐水部が設けられている。このような洗浄装置では、吐水部から除菌水を洗い場床上に吐出することで、洗い場床を除菌することができる。
【先行技術文献】
【特許文献】
【０００４】
【特許文献１】特開２００８−１６８２３０号公報
【発明の概要】
【発明が解決しようとする課題】
【０００５】
例えば、より少ない量の除菌水で洗い場床を除菌するためには、除菌水が洗い場床上の菌に作用する時間を確保する必要がある。このためには、除菌水を滞留性の高い形態（例えばミスト）で、洗い場床上に吐出することが重要である。また、洗い場床に付着した汚れを洗浄水の勢いで除去するためには、洗浄水を流速の高い形態で、洗い場床上に吐出することが重要である。そのため、吐水部に設けられた吐水口の径を小さくする必要がある。
【０００６】
このような小径の吐水口から水を吐出した場合、吐水の終了後に、吐水口に至るまでの流路に水が残留しやすい。これは、吐水口の径が小さいことにより、水が排出されにくいためである。このように吐水部の流路に残留した水は、装置の運転終了後、洗い場床が乾いた後に洗い場床上に吐出されることがある。例えば、使用者が浴室内に入室するために浴室のドアを開いた際の振動や、他の水回り機器の使用によって発生する配管の振動などによって、残留した水が洗い場床上に吐出されるおそれがある。
【０００７】
このように吐出された水は、比較的少量であるため、緩い排水勾配を有する洗い場床上においては、排水口まで流れ切ることが難しい。吐水部内の流路に残留した水が、乾いた洗い場床上に吐出された場合、水は、水玉状の残留水となって滞留することとなる。水玉状の残留水は、表面積の割には水量が多いため、乾きにくく、翌日になっても自然乾燥せずに残ってしまっていた。これは、翌日、使用者が浴槽の清掃を行う際、靴下のまま浴室内の洗い場床に立つと靴下を濡らしてしまう結果となり、非常に不快であり、また掃除の度に靴下を脱がなければならないので煩わしい。
【０００８】
本発明は、かかる課題の認識に基づいてなされたものであり、洗い場吐水装置の運転が終了してから長時間が経過して洗い場床が乾いた後に、水玉状の残留水が洗い場床上に発生することを防止できる洗い場吐水装置を提供することを目的とする。
【課題を解決するための手段】
【０００９】
第１の発明は、浴室の洗い場床を洗浄または除菌する洗い場吐水装置であって、吐水部であって、水を一時的に溜める貯水部と、前記貯水部に溜まった水を洗い場床上に吐出する吐水口と、を有する吐水部と、制御部であって、前記吐水部から水を前記洗い場床上に吐出させる洗い場吐水モードと、前記洗い場吐水モードを実行した後に、前記吐水部からの水の吐出を停止させた状態で前記貯水部に残留した水の少なくとも一部を排出する残留水排出モードと、を実行する制御部と、を備え、前記制御部は、前記残留水排出モードにおいて前記吐水部を振動させることを特徴とする洗い場吐水装置である。
【００１０】
この洗い場吐水装置によれば、洗い場吐水モードが実行された後に、吐水部内に残留した水が排出される。洗い場吐水モードが実行された直後には、洗い場床上には水によって水膜が形成されている。このため、残留排出モードにおいて吐水部から排出された水は、この水膜の上に落下する。これにより、吐水部から排出された水を、水膜を形成している水とともに排水口に流すことができる。より少ない量の水で洗い場床を除菌するために除菌水を滞留性の高い吐水形態で吐出した場合や、洗い場床に付着した汚れを洗浄水の勢いで除去するために洗浄水を流速の高い形態で吐出した場合であっても、洗い場吐水装置の運転が停止してから長時間が経過した後に、残留水が洗い場床上に発生することを防止することができる。また、吐水部を振動させることで、吐水部内に残留した水の表面張力を低減することができる。これにより、吐水部内に残留した水を排出することができる。
【００１３】
第２の発明は、第１の発明において、前記残留水排出モードは、前記貯水部に残留した水が前記洗い場床上に落下する位置が変化するように前記吐水口の位置を変化させながら前記吐水部を振動させる第１の振動工程を有することを特徴とする洗い場吐水装置である。
【００１４】
この洗い場吐水装置によれば、吐水部内に残留した水が洗い場床上に落下する位置を変化させることで、水が洗い場床上に落下する領域の平面積を大きくすることができる。このため、吐水部から落下した水と、洗い場床上の水膜と、が接触する可能性を高めることができる。これにより、吐水部から排出された水を、より確実に、水膜を形成している水とともに排水口に導くことができる。
【００１５】
第３の発明は、第２の発明において、前記残留水排出モードは、前記第１の振動工程の後に実行される第２の振動工程であって、前記第１の振動工程において前記吐水部に生じる振動とは異なる振動を前記吐水部に生じさせる第２の振動工程を有することを特徴とする洗い場吐水装置である。
【００１６】
この洗い場吐水装置によれば、第２の振動工程において、第１の振動工程とは異なる振動が吐水部に生じる。このため、第１の振動工程では、排出できなかった水を、第２の振動工程において排出することができる。これにより、吐水部内に残留した水の量をより少なくすることができる。
【００１７】
第４の発明は、第３の発明において、前記第２の振動工程において、前記制御部は、前記吐水口の位置を複数の方向に移動させ、前記第２の振動工程において前記吐水口が移動する範囲は、前記第１の振動工程において前記吐水口が移動する範囲よりも狭いことを特徴とする洗い場吐水装置である。
【００１８】
この洗い場吐水装置によれば、第２の振動工程において第１の振動工程よりも強い揺れが吐水口に生じる。このため、吐水部内に残留した水の量をより少なくすることができる。
【発明の効果】
【００１９】
本発明の態様によれば、洗い場吐水装置の運転が終了してから長時間が経過して洗い場床が乾いた後に、水玉状の残留水が洗い場床上に発生することを防止できる洗い場吐水装置が提供される。
【図面の簡単な説明】
【００２０】
【図１】本発明の実施の形態に係る浴室洗い場用除菌水吐水装置を例示する模式図である。
【図２】本実施形態に係る浴室洗い場用除菌水吐水装置が設置された浴室を表す模式的斜視図である。
【図３】本実施形態の除菌水吐水部を例示する模式図である。
【図４】本実施形態の除菌水吐水部から除菌水が吐水された状態を例示する模式的側面図である。
【図５】本実施形態の除菌水吐水部の回転を説明する模式図である。
【図６】本実施形態に係る除菌水吐水装置の動作を例示するフローチャートである。
【図７】本実施形態の除菌水吐水部の動作を例示する模式的平面図である。
【図８】本実施形態における原点出しを説明する模式的平面図である。
【図９】本実施形態における除菌水吐水装置の動作を説明するタイムチャートである。
【図１０】本実施形態の除菌水吐水部の動作を例示する模式的平面図である。
【図１１】本実施形態の除菌水吐水部の動作を説明する模式的平面図である。
【図１２】本実施形態における除菌水吐水装置の動作を例示するフローチャートである。
【図１３】本実施形態における除菌水吐水装置の動作を説明するタイムチャートである。
【図１４】本発明の他の実施の形態に係る除菌水吐水装置を例示する模式的平面図である。
【発明を実施するための形態】
【００２１】
以下、本発明の実施の形態について図面を参照しつつ説明する。なお、各図面中、同様の構成要素には同一の符号を付して詳細な説明は適宜省略する。
【００２２】
図１は、本発明の実施の形態に係る浴室洗い場用除菌水吐水装置を例示する模式図である。  
図１に表したように、本発明の実施の形態に係る浴室洗い場用除菌水吐水装置（以下、説明の便宜上、単に「除菌水吐水装置」と称する）１００は、除菌水吐水部１０と、除菌水生成部２０と、制御部３０と、を備える。除菌水吐水装置１００は、浴室に設置され、浴室の洗い場床を除菌する装置である。
【００２３】
まず、除菌水吐水装置１００が設置される浴室の例について説明する。  
図２（ａ）および図２（ｂ）は、本実施形態に係る浴室洗い場用除菌水吐水装置が設置された浴室を表す模式的斜視図である。  
図２（ａ）に表したように、除菌水吐水装置１００が設置される浴室５００には、第１〜第４の壁５４１〜５４４、浴槽５１０、洗い場床５２０およびカウンタ５３０が設けられている。さらに、浴室５００には、鏡、給水栓、シャワーホースなどが適宜設けられている。図２（ｂ）は、カウンタ５３０の近傍を拡大した模式的斜視図である。
【００２４】
浴室５００は、第１〜第４の壁５４１〜５４４を有する。第２の壁５４２は、第１の壁５４１と対向する壁である。第４の壁５４４は、第３の壁５４３と対向する壁である。第１の壁５４１と第２の壁５４２とは、それぞれ、第３の壁５４３および第４の壁５４４と接続されている。
【００２５】
浴槽５１０は、洗い場床５２０からみて第４の壁５４４側に設けられている。例えば、浴槽５１０は、第４の壁５４４と接するように配置される。
【００２６】
洗い場床５２０は、浴槽５１０と第３の壁５４３との間に設けられている。例えば、洗い場床５２０は、第１〜第３の壁５４１〜５４３と接する。
【００２７】
洗い場床５２０は、周囲に立設された壁面５４０に囲まれている。ここで「壁面」とは、第１〜第４の壁５４１〜５４４だけでなく、浴槽５１０の側面も含む。この例では、洗い場床５２０を囲む壁面５４０は、第１〜第３の壁５４１〜５４３および浴槽５１０の側面である。なお、第１〜第４の壁５４１〜５４４は、浴室のドアなどを含んでいてもよい。
【００２８】
本願明細書において、第２の壁５４２から第１の壁５４１へ向かう方向を「前方」とし、これと反対の方向を「後方」とする。また、前後方向および上下方向に対して垂直な方向を横方向とする。
【００２９】
洗い場床５２０には、排水口５２１が設けられている。排水口５２１は、洗い場床５２０の前後方向における中央付近であって、洗い場床５２０の浴槽５１０側の端に設けられている。洗い場床５２０には、排水口５２１へ向かう緩やかな傾斜が設けられている。
【００３０】
カウンタ５３０、鏡、給水栓およびシャワーホースは、第２の壁５４２に取り付けられている。カウンタ５３０は、カウンタ本体と、支持材５３３（図５を参照）と、を有する。カウンタ本体は、例えば、天板５３１と下カバー５３２とを有する。
【００３１】
カウンタ５３０は、洗い場床５２０から上方に離間して配置されている。支持材５３３が第２の壁５４２に取り付けられ、カウンタ本体は、この支持材に取り付けられている。カウンタ５３０は、上方から見たときに、横方向に長い略矩形状の形状を有する。カウンタ５３０の横方向における幅は、洗い場床５２０の横方向における幅と同等である。
【００３２】
除菌水吐水部１０は、カウンタ５３０の下部に設けられている。除菌水吐水部１０は、洗い場床５２０から離間した位置に配置されている。除菌水吐水部１０は、例えば、カウンタ５３０の横方向における中央付近に設置されている。すなわち、除菌水吐水部１０は、洗い場床５２０の横方向における中央付近に設置されている。これにより、除菌水を洗い場床５２０の全体に吐出しやすくなる。
【００３３】
図１は、除菌水吐水装置１００が設置されたカウンタ５３０の近傍を側方から見た様子を表している。例えば、除菌水吐水部１０は、下カバー５３２から下方に突出するように設けられる。
【００３４】
浴室５００の外部（例えば第２の壁５４２の後方）には、給水管５１と、給湯管５２と、が設けられている。給水管５１は、図示しない水道管と接続されている。給水管５１から水道水が除菌水吐水装置１００に供給される。
【００３５】
カウンタ５３０の内部（天板５３１と下カバー５３２との間）には、止水栓５３と、電磁弁５４と、調圧弁５５と、逆止弁５６と、除菌水生成部２０と、制御部３０と、が設けられている。止水栓５３は、給水管５１と接続されている。給水管から供給される水道水の流路において、上流側から順に、止水栓５３、電磁弁５４、調圧弁５５、逆止弁５６、除菌水生成部２０が接続されている。
【００３６】
なお、実施形態においては、止水栓５３、電磁弁５４、調圧弁５５、逆止弁５６、除菌水生成部２０および制御部３０の少なくとも一部が、カウンタ５３０の外部または浴室５００の外部に設けられていてもよい。例えば、図２（ａ）に表したように、制御部３０を浴室５００の外部に設けてもよい。
【００３７】
止水栓５３および電磁弁５４の開閉によって、下流側への水道水の供給が制御される。電磁弁５４は、水道水の流路を開く動作、または、水道水の流路を閉じる動作を行う。
【００３８】
調圧弁５５は、供給された水道水の圧力を制御する。これにより、除菌水生成部２０に供給される水道水の流量を調整することができる。除菌水生成部２０に供給される水道水の流量を調整することで、除菌水吐水部１０に供給される除菌水の流量が調整される。なお、電磁弁５４を用いて、流量を調整してもよい。
【００３９】
除菌水生成部２０は、陽極と陰極とを有する電解槽である。除菌水生成部２０は、陽極と陰極との間に電圧を印加して、陽極と陰極との間を流れる水道水を電気分解する。これにより、除菌水生成部２０は、水道水を変性して除菌水を生成する。
【００４０】
除菌水は、例えば、次亜塩素酸を含む水である。水道水は、塩化物イオンを含んでいるため、その塩化物イオンを電気分解することによって、次亜塩素酸が生成される。その結果、電気分解された水は、次亜塩素酸を含む液に変化する。
【００４１】
除菌水は、金属イオン水（例えば、銀イオン、銅イオンまたは亜鉛イオンなどの金属イオンを含む水）またはオゾンを含む水であってもよい。例えば、水道水が電気分解される際、陰極においては酸（Ｈ＋）が消費され、陰極の近傍ではｐＨが上昇する。すなわち、陰極の近傍では、アルカリ水が生成される。一方、陽極においてはアルカリ（ＯＨ−）が消費され、陽極の近傍ではｐＨが下降する。すなわち、陽極の近傍では、酸性水が生成される。除菌水生成部２０における流量を変化させることで、除菌水に含まれる成分の濃度を制御することができる。なお、除菌水生成部２０は、電解槽に限定されるわけではない。例えば、除菌水は、除菌剤を水道水に溶解させて生成された除菌水であってもよい。
【００４２】
除菌水生成部２０において生成された除菌水は、除菌水吐水部１０に供給され、除菌水吐水部１０から洗い場床５２０上に吐出される。これにより、洗い場床５２０を除菌することができる。
【００４３】
除菌水吐水部１０は、例えばモータ１７を有する。モータ１７は、例えばステッピングモータである。後述するように、モータ１７によって除菌水吐水部１０を回転させて、除菌水が吐出される方向を変化させることができる。
【００４４】
制御部３０は、電磁弁５４および除菌水生成部２０および除菌水吐水部１０（モータ１７）と接続されている。制御部３０は、電磁弁５４、除菌水生成部２０および除菌水吐水部１０の動作を制御することで、除菌水が吐出される形態（吐水方法、撒き方）を制御することができる。
【００４５】
例えば、電磁弁５４は、制御部３０からの信号に基づいて、水道水の流路の開閉を行う。これにより、下流側に供給される水道水の流量が制御される。また、除菌水生成部２０は、制御部３０からの信号に基づいて、電解槽のＯＮ／ＯＦＦを切り替える。除菌水吐水部１０は、制御部３０からの信号に基づいて、回転角度や回転速度を変化させる。このようにして制御部３０は、除菌水の濃度、吐出される除菌水の瞬間流量（単位時間当たりの流量）、吐出される除菌水の総量、および、除菌水の吐出方向などの吐水方法を制御することができる。
【００４６】
図２（ａ）に表したように、制御部３０と接続された操作部３５が、浴室５００の内側または浴室５００の外側に設けられる。除菌水吐水装置１００の使用者は、この操作部３５を用いることにより、除菌水吐水装置の動作を操作することができる。
【００４７】
洗い場床５２０の汚れ易さや除菌水の流れ易さは、洗い場床５２０の部位によって異なることがある。そこで、制御部３０は、除菌水吐水部１０が回転した角度（除菌水が吐出される方向）に応じて、除菌水の吐水方法を変化させる。これにより、洗い場床の部位に応じて最適な吐水を行うことができる。これにより、より少ない量の除菌水で効率的に洗い場床を除菌することができる。
【００４８】
次に、図３〜図５を参照して本実施形態の除菌水吐水部の例について説明する。
【００４９】
図３（ａ）および図３（ｂ）は、本実施形態の除菌水吐水部を例示する模式図である。図３（ａ）は、除菌水吐水部１０の模式的斜視図である。図３（ｂ）は、図３（ａ）に示したＡ−Ａ’切断面における模式的断面図である。
【００５０】
図３（ａ）および図３（ｂ）に表したように、除菌水吐水部１０は、第１の吐水口１１と、第２の吐水口１２と、貯水部１３と、を有する。
【００５１】
貯水部１３は、例えば、円筒状であり、内部の空間に除菌水生成部２０から供給された除菌水を一時的に溜めることができる。第１の吐水口１１および第２の吐水口１２は、貯水部１３の側面に設けられている。第１の吐水口１１は、第２の吐水口１２の上方に設けられている。
【００５２】
貯水部１３内の除菌水が溜まる空間は、第１の吐水口１１および第２の吐水口１２を介して、外部と連通している。これにより、第１の吐水口１１および第２の吐水口１２は、貯水部１３に溜まった除菌水を洗い場床上に吐出する。例えば、第１の吐水口１１および第２の吐水口１２は、同時に除菌水を吐出する。貯水部１３を設けることによって、除菌水を一時的に貯留し、吐水圧力を上昇させることができる。
【００５３】
図４（ａ）および図４（ｂ）は、本実施形態の除菌水吐水部から除菌水が吐水された状態を例示する模式的側面図である。図４（ｂ）は、図４（ａ）の除菌水吐水部１０の近傍を拡大して表している。
【００５４】
第１の吐水口１１は、第２の吐水口１２よりも上方に向けて設けられている。例えば、第１の吐水口１１は、水平方向よりも上向きであり、第２の吐水口１２は、水平方向よりも下向きである。これにより、第１の吐水口１１から吐出された除菌水は、第２の吐水口１２から吐出された除菌水よりも、除菌水吐水部１０から遠い領域まで届く。第１の吐水口１１は、洗い場床５２０のうち除菌水吐水部１０から遠い範囲を受け持つ遠方用吐水口である。第２の吐水口１２は、洗い場床５２０のうち除菌水吐水部１０から近い範囲を受け持つ近傍用吐水口である。
【００５５】
第１の吐水口１１の最大吐水距離（障害物が無いときに除菌水吐水部１０から吐出された除菌水が届く位置と除菌水吐水部１０との間の最長距離；射程）は、除菌水吐水部１０と壁面５４０との間の最長距離よりも長い。
【００５６】
また、この例では、第２の吐水口１２から除菌水が吐出される方向は、上方から見たときに、第１の吐水口１１から除菌水が吐出される方向に沿った方向である。例えば、第１の吐水口１１の吐水方向は、第２の吐水口１２の吐水方向と実質的に同じである。なお、本願明細書において「吐水方向」とは、上方から見たときの、除菌水が吐出される方向をいうものとする。上方から見たとき除菌水が複数の方向に広がって吐出される場合には、複数の方向の中央を「吐水方向」とすることができる。
【００５７】
第１の吐水口１１および第２の吐水口１２の径は、小さいため、除菌水は、例えば霧状（ミスト）となって吐出される。このような霧状の除菌水は、洗い場床上に滞留しやすい。滞留性の高い形態で除菌水を吐出することによって、除菌水が洗い場床上の菌に作用する時間を確保することができる。これにより、より少ない量の除菌水で、洗い場床を除菌することができる。
【００５８】
図３（ａ）に表したように、除菌水吐水部１０には、第１の吐水口１１の近傍に上下方向に沿った溝１１ｇが設けられている。この溝１１ｇによって、第１の吐水口１１から除菌水が吐出される方向が制御される。同様に、第２の吐水口１２近傍に設けられた上下方向に沿った溝１２ｇによって、第２の吐水口１２から除菌水が吐出される方向が制御される。これにより、図４（ｂ）に表したように、除菌水は、第１の吐水口１１および第２の吐水口１２から上下方向に広がって、吐出される。
【００５９】
図５（ａ）および図５（ｂ）は、本実施形態の除菌水吐水部の回転を説明する模式図である。  
図５（ａ）は、除菌水吐水部１０が設けられたカウンタ５３０と、洗い場床５２０と、を上方から見た模式的平面図である。図５（ｂ）は、図５（ａ）の除菌水吐水部１０の近傍を拡大して表した模式的平面図である。
【００６０】
除菌水吐水部１０は、回転軸１０ｘを中心として回転することができる。回転軸１０ｘは、鉛直方向に延びる軸である。回転軸１０ｘは、上方から見たときに除菌水吐水部１０の略中央に位置する。回転軸１０ｘが延びる方向は、完全な鉛直方向から傾いていてもよい。例えば、回転軸１０ｘが延びる方向の鉛直方向成分は、回転軸１０ｘが延びる方向の水平方向成分よりも大きければよい。
【００６１】
除菌水吐水部１０は、回転の原点１０ｓ（回転の開始位置）から回転の終了位置１０ｅまで回転することができる。除菌水吐水部１０が回転した角度によって、第１の吐水口１１および第２の吐水口１２から吐出される除菌水の吐水方向が変化する。除菌水吐水部１０が回転しながら除菌水を吐出することにより、洗い場床５２０の全体に除菌水が吐出される。
【００６２】
本実施形態に係る除菌水吐水装置１００は、除菌水吐水部１０が回転するときの基準となる位置（以下、説明の便宜上「回転基準」という）と、洗い場床５２０と、の相対的な配置を規定する回転基準規定手段１５をさらに備える。例えば、原点１０ｓを回転基準とすることができる。回転基準規定手段１５は、回転基準が洗い場床５２０に対して所定の角度となるように規定する手段である。
【００６３】
例えば、図５（ｂ）に表したように、除菌水吐水装置１００には、回転基準部１０ｐと、回転基準規定部５３４と、が設けられている。また、除菌水吐水部１０には、突起部１０ｑが設けられている。回転基準規定手段１５として、回転基準部１０ｐと回転基準規定部５３４とを用いることができる。
【００６４】
回転基準規定部５３４は、カウンタ５３０に対して、直接的または間接的に位置が固定された部材である。回転基準規定部５３４は、カウンタ５３０に設けられている。回転基準規定部５３４は、例えば、カウンタ５３０の支持材５３３に取り付けられている。なお、回転基準規定部５３４は、カウンタ５３０とは別の部材であってもよいし、カウンタ５３０と一体に成形されていてもよい。
【００６５】
回転基準部１０ｐは、回転基準規定部５３４に対して、直接的または間接的に位置が固定された部材である。例えば、回転基準部１０ｐは、回転基準規定部５３４に取り付けられている。これにより、回転基準部１０ｐは、カウンタ５３０に対して相対的に固定されている。
【００６６】
突起部１０ｑは、除菌水吐水部１０の側面に設けられた部材であり、第１の吐水口１１および第２の吐水口１２の回転とともに回転する。除菌水吐水部１０が回転した際に、突起部１０ｑは、回転基準部１０ｐに突き当たるように配置されている。このように、回転基準部１０ｐおよび突起部１０ｑによって、除菌水吐水部１０の回転が規制される。これにより、回転基準部１０ｐの位置を回転基準とすることができる。そして、回転基準規定部５３４によって、回転基準とカウンタ５３０との相対的配置が規定される。  
なお、回転基準部１０ｐは、カウンタ５３０の一部であってもよく、カウンタ５３０と一体に成形されていてもよい。この場合、回転基準部１０ｐは、回転基準規定部５３４を兼ねている。
【００６７】
例えば、除菌水吐水部を浴室のカウンタに取り付ける際に、除菌水吐水部の回転基準が所定の位置からずれてしまうおそれがある。除菌水吐水部の回転角度によって除菌水の撒き方を変化させるにあたって、除菌水吐水部の回転基準がずれると、部位に応じた最適な除菌水の撒き方ができなくなるおそれがある。これに対して、実施形態においては、上記のような回転基準規定手段１５を設けている。この回転基準規定手段１５によって、洗い場床５２０に対して除菌水吐水部１０の回転基準を合わせることができる。このため、回転基準が所定の位置からずれた状態で、除菌水吐水部１０がカウンタに取り付けられることを防止することができる。これにより、確実に洗い場床の部位に応じた最適な吐水を行うことができる。
【００６８】
一般的に、カウンタは、カウンタの横方向の中央と、洗い場床の短辺の横方向の中央と、が一致するように、浴室に取り付けられる。すなわち、カウンタと洗い場床との相対的配置は、あらかじめ規定されている。そこで、本実施形態においては、除菌水吐水部１０の位置を、カウンタ５３０に対して規定する。具体的には、カウンタ５３０との相対的な配置が規定された回転基準部１０ｐと回転基準規定部５３４とが設けられる。これにより、カウンタ５３０を介して、回転基準と洗い場床５２０との相対的な配置を規定することができる。これにより、洗い場床の各部位に応じて確実に最適な吐水を行うことができる。
【００６９】
カウンタの種類によって除菌水吐水部１０がカウンタに取り付けられる位置が変わったとしても、カウンタの中心と除菌水吐水部１０が取り付けられる位置との関係を考慮して、カウンタに回転基準規定部５３４を形成すれば、洗い場床に対応した回転基準を規定することができる。これにより、除菌水吐水部１０の取付位置が互いに異なる多種のカウンタに対しても、洗い場床５２０の各部位に応じた最適な吐水を行うことができる。
【００７０】
次に、洗い場床５２０を除菌する際の除菌水吐水装置１００の動作の例について説明する。
【００７１】
図６は、本実施形態に係る除菌水吐水装置の動作を例示するフローチャートである。  
図７は、本実施形態の除菌水吐水部の動作を例示する模式的平面図である。  
図７は、除菌水吐水装置１００を用いた除菌方法の各工程における、除菌水吐水部１０の回転動作を表している。  
図６に表したように、まず、除菌水吐水装置１００のスイッチがＯＦＦの状態では、電磁弁５４は、閉じており、電解槽（除菌水生成部２０）およびモータ１７は、ＯＦＦ状態である。
【００７２】
ここで、例えば、使用者によって除菌水吐水装置１００のスイッチがＯＮにされると、制御部３０に、洗い場除菌モード（後述の除菌水吐水工程）の実行指令が送信される。このとき、制御部３０は、洗い場除菌モードを実行する前に、まず原点出しモードＳ０１を実行する。
【００７３】
原点出しモードＳ０１において、制御部３０は、回転基準規定手段１５を用いて除菌水吐水部１０の回転の原点出しを行う。ここで、「原点出し」とは、除菌水吐水部１０の位置（向き）を回転基準に対応させる動作をいう。具体的には、制御部３０は、モータ１７をＯＮ（動作状態）とし、図７の矢印Ａ０１に表した方向に除菌水吐水部１０を回転させる。
【００７４】
図８（ａ）および図８（ｂ）は、本実施形態における原点出しを説明する模式的平面図である。図８（ａ）および図８（ｂ）は、除菌水吐水部１０の動作を表している。  
図８（ａ）に表したように、原点１０ｓから終了位置１０ｅまでの角度（最大回転角度θ１）は、例えば３００°程度である。原点出しモードＳ０１において、制御部３０は、モータ１７に最大回転角度θ１回転するように信号を送る。
【００７５】
図８（ｂ）に表したように、例えば、除菌水吐水装置１００のスイッチがＯＮにされたときに、除菌水吐水部１０が原点１０ｓから回転した角度がθ２であったとする。このとき、除菌水吐水部１０は、まず角度θ２だけ回転する。これにより、除菌水吐水部１０の突起部１０ｑが回転基準部１０ｐに突き当たる。さらに、この状態でモータ１７は、最大回転角度θ１と角度θ２との差（角度θ３）だけ空転する。これにより、除菌水吐水部１０の向きが、確実に原点１０ｓ（回転基準）に合わせられる。
【００７６】
次に、制御部３０は、第１除菌水吐水工程Ｓ０２を実行する。第１除菌水吐水工程Ｓ０２においては、電磁弁５４が開かれ、水道水が電解槽に供給される。そして電解槽は、ＯＮ状態とされ、水道水を変性して除菌水を生成する。生成された除菌水は、除菌水吐水部１０から洗い場床５２０に吐出される。このとき、制御部３０は、モータ１７をＯＮとし、図７の矢印Ａ０２に表したように除菌水吐水部１０を原点１０ｓから終了位置１０ｅまで回転させる。除菌水吐水部１０は、回転しながら除菌水を洗い場床５２０上に吐出する。
【００７７】
なお、図７に表した各矢印において、破線で表した方向に除菌水吐水部１０が回転するときは、除菌水吐水部１０が除菌水を吐出しないことを表す。また、実線で表した方向除菌水吐水部１０が回転するときは、除菌水吐水部１０が除菌水を吐出することを表す。
【００７８】
次に、止水工程Ｓ０３が実行される。止水工程Ｓ０３においては、電磁弁５４は閉じられ、電解槽はＯＦＦ（停止状態）とされる。また、モータ１７もＯＦＦ（停止状態）とされる。
【００７９】
次に、制御部３０は、原点出しモードＳ０４を実行する。原点出しモードＳ０４において、制御部３０は、除菌水吐水部１０の原点出しを行う。制御部３０は、モータ１７をＯＮとして、図７の矢印Ａ０４に表したように、除菌水吐水部１０を終了位置１０ｅから原点１０ｓまで回転させる。このとき、除菌水吐水部１０は、除菌水を吐出しない。
【００８０】
その後、制御部３０は、第２除菌水吐水工程Ｓ０５を実行する。第２除菌水吐水工程Ｓ０５において、電磁弁５４が開かれ、電解槽がＯＮとされる。制御部３０は、モータ１７によって除菌水吐水部１０を回転させる。除菌水吐水部１０は、図７の矢印Ａ０５に表したように原点１０ｓから終了位置１０ｅまで回転しながら、除菌水を吐出する。第２除菌水吐水工程Ｓ０５における除菌水の吐出方法は、第１除菌水吐水工程Ｓ０２と異なっていてもよい。例えば、第２除菌水吐水工程Ｓ０５において吐出される除菌水の成分や濃度は、第１除菌水吐水工程Ｓ０２において吐出される除菌水の成分や濃度と異なっていても良い。
【００８１】
次に、除菌水吐水完了工程Ｓ０６が実行される。除菌水吐水完了工程Ｓ０６においては、電磁弁５４が閉じられ、電解槽がＯＦＦとされ、モータ１７がＯＦＦとされる。
【００８２】
次に、制御部３０は、残留水排出モードＳ０７を実行する。残留水排出モードＳ０７では、除菌水吐水部１０内の除菌水の流路に残留した除菌水の少なくとも一部を排出する。例えば、貯水部１３から第１の吐水口１１までの流路または貯水部１３から第２の吐水口１２までの流路に残留した除菌水が排出される。具体的には、制御部３０は、モータ１７を制御して、除菌水吐水部１０を振動させる。除菌水吐水部１０は、振動しながら図７の矢印Ａ０７に表したように、終了位置１０ｅから原点１０ｓまで回転する。
【００８３】
例えば、除菌水吐水装置１００の不使用時に、使用者の体が除菌水吐水部１０に当たるなどして、除菌水吐水部１０の洗い場床５２０に対する角度がずれる場合がある。このような場合であっても、実施形態によれば、洗い場除菌モードの前に原点出しが行われるため、角度のずれが矯正された状態で除菌水の吐出が開始される。これにより、長期安定的に洗い場床の部位に応じて最適な吐水を行うことができる。
【００８４】
また、除菌水吐水装置を長期間使用すると、除菌水吐水部１０の移動抵抗（回転する際の抵抗）が大きくなり、洗い場除菌モードの実行中に、除菌水吐水部１０の洗い場床５２０に対する角度が意図した角度からずれる場合がある。また、除菌水吐水部１０の周囲に障害物が置かれていた場合などに、除菌水吐水部１０が回転した際に、除菌水吐水部１０が障害物に当たることがある。このときにも、除菌水吐水部１０の洗い場床５２０に対する角度が意図した角度からずれる場合がある。
【００８５】
これに対して、実施形態においては、第１除菌水吐水工程Ｓ０２と第２除菌水吐水工程Ｓ０５との間において原点出しモードＳ０４を実行する。すなわち、制御部３０は、洗い場除菌モードの途中で、原点出しモードを実行する。これにより、洗い場除菌モードの途中で、除菌水吐水部１０の洗い場床５２０に対する角度のずれを修正することができる。このため、除菌水吐水部１０の洗い場床５２０に対する角度が大きくずれた状態で、除菌水が吐出されることを防止することができる。これにより、長期安定的に洗い場床５２０の部位に応じて最適な吐水を行うことができる。
【００８６】
次に、第１除菌水吐水工程Ｓ０２における除菌水吐水装置の動作について、図９〜図１１を参照して、さらに説明する。
【００８７】
図９は、本実施形態における除菌水吐水装置の動作を説明するタイムチャートである。
図９では、第１除菌水吐水工程Ｓ０２および原点出しモードＳ０４における動作を示す。
図９に表したように、第１除菌水吐水工程Ｓ０２においては、除菌水吐水部１０から除菌水が吐出され続けている。そして、止水工程Ｓ０３の原点出しモードＳ０４では、除菌水吐水部１０から除菌水が吐出されない。
【００８８】
タイムチャートの「除菌水吐水部の回転」において、「１」は、除菌水吐水部１０が原点１０ｓから終了位置１０ｅへ向かって回転していること（正転動作）を表し、「０」は、除菌水吐水部１０が回転を停止していることを表し、「−１」は、除菌水吐水部１０が終了位置１０ｅから原点１０ｓへ向かって回転していること（反転動作）を表す。  
図９に表したように、除菌水吐水部１０は、回転と停止とを繰り返している。第１除菌水吐水工程Ｓ０２において除菌水吐水部１０は、断続的に原点１０ｓから終了位置１０ｅへ向かう方向に回転する。原点出しモードＳ０４において除菌水吐水部１０は、断続的に終了位置１０ｅから原点１０ｓへ向かう方向に回転する。
【００８９】
図１０は、本実施形態の除菌水吐水部の動作を例示する模式的平面図である。  
領域Ａ１は、除菌水吐水部１０が回転を停止したある期間ｔ１において、除菌水が吐出される領域を表す。領域Ａ２は、期間ｔ１の次に除菌水吐水部１０が回転を停止した期間ｔ２において、除菌水が吐出される領域を表す。図１０に表したように、領域Ａ２の一部は、領域Ａ１の一部と重なっている。このように、除菌水吐水部１０は、原点１０ｓから終了位置１０ｅまで断続的に回転する。
【００９０】
さらに本実施形態において、除菌水吐水装置１００は、洗い場床５２０の部位に応じて、除菌水が吐出される量、および、除菌水吐水部１０の回転速度を変化させている。これについて、以下説明する。
【００９１】
図１１（ａ）および図１１（ｂ）は、本実施形態の除菌水吐水部の動作を説明する模式的平面図である。
図１１（ａ）は、除菌水吐水部１０を例示する模式的平面図であり、図１１（ｂ）は、洗い場床５２０を例示する模式的平面図である。
【００９２】
図１１（ａ）に表したように、この例では、除菌水吐水部１０が回転した角度（回転角度）を、互いに異なる５つの範囲Ｄ１〜Ｄ５に分割している。図１１（ｂ）は、範囲Ｄ１〜Ｄ５のそれぞれに対応した、洗い場床５２０の領域Ｒ１〜Ｒ５を表している。
【００９３】
例えば、回転角度が範囲Ｄ１内にある状態ＳＴ１では、領域Ｒ１に除菌水が吐出される。回転角度が範囲Ｄ２内にある状態ＳＴ２では、領域Ｒ２に除菌水が吐出される。
【００９４】
状態ＳＴ１における吐水方向に沿った除菌水吐水部１０から壁面５４０までの距離は、状態ＳＴ２における吐水方向に沿った除菌水吐水部１０から壁面５４０までの距離よりも短い。このとき、図９に表したように、制御部３０は、状態ＳＴ１において吐出される除菌水の総量が、状態ＳＴ２において吐出される除菌水の総量よりも少なくなるようにする。
【００９５】
同様にして、回転角度が範囲Ｄ３内にある状態ＳＴ３では、領域Ｒ３に除菌水が吐出される。状態ＳＴ３における吐水方向に沿った除菌水吐水部１０から壁面５４０までの距離は、状態ＳＴ２における吐水方向に沿った除菌水吐水部１０から壁面５４０までの距離よりも長い。このときには、制御部３０は、状態ＳＴ３において吐出される除菌水の総量を、状態ＳＴ２において吐出される除菌水の総量よりも多くする。
【００９６】
このように、実施形態においては、除菌水吐水部１０と壁面５４０との間の距離が相対的に短い回転角度領域において吐出される除菌水の総量は、除菌水吐水部１０と壁面５４０との間の距離が相対的に長い回転角度領域において吐出される除菌水の総量よりも少なくされる。
【００９７】
回転角度が範囲Ｄ４内にある状態ＳＴ４では、領域Ｒ４に除菌水が吐出される。状態ＳＴ４における吐水方向に沿った除菌水吐水部１０から壁面５４０までの距離は、状態ＳＴ２における吐水方向に沿った除菌水吐水部１０から壁面５４０までの距離と、同じである。また、領域Ｒ４と排水口５２１との間の距離は、領域Ｒ２と排水口５２１との間の距離よりも長い。すなわち、領域Ｒ４は、領域Ｒ２よりも洗い場床５２０の上流側に位置する。この場合には、制御部３０は、状態ＳＴ２において吐出される除菌水の総量が、状態ＳＴ４において吐出される除菌水の総量よりも少なくなるようにする。
【００９８】
このように、除菌水吐水部１０と壁面５４０との間の距離が同じ場合においては、洗い場床５２０の排水勾配の下流側に吐出される除菌水の量は、洗い場床５２０の排水勾配の上流側に吐出される除菌水の量よりも少なくされる。
【００９９】
例えば、除菌水吐水部１０から吐出される除菌水の瞬間流量は、一定とされる。そして、制御部３０は、吐水方向に沿った除菌水吐水部１０から壁面５４０までの距離に応じて、除菌水吐水部１０の平均回転速度を変化させる。これにより、洗い場床の部位に応じて、吐出される除菌水の総量を変化させることができる。例えば、状態ＳＴ１における除菌水吐水部１０の平均回転速度は、状態ＳＴ３における除菌水吐水部１０の平均回転速度よりも高い。これにより、状態ＳＴ１において吐出される除菌水の総量は、状態ＳＴ３において吐出される除菌水の総量よりも少なくなる。
【０１００】
図９に表したように、除菌水吐水部１０が回転と停止とを繰り返す場合、除菌水吐水部１０が停止する時間の長さを変化させることで、平均回転速度を変化させることができる。例えば、除菌水吐水部１０が一度に回転する角度および時間を一定とし、回転動作が行われる時間的な周期を変化させることで平均回転速度を変化させることができる。例えば、状態ＳＴ１における回転動作の周期は、状態ＳＴ３における回転動作の周期よりも短い。
【０１０１】
なお、タイムチャートにおいて「吐水状態」は、回転角度の各範囲において除菌水が吐出される方向を模式的平面図で表している。また、平面図中の矢印は、除菌水吐水部１０から吐出された除菌水のうち、壁面５４０に当たってから洗い場床５２０上に流れる除菌水の流れを表している。矢印の向きは、除菌水の流れる方向を模式的に表し、矢印の大きさは、除菌水の量を模式的に表している。また、タイムチャートにおいて「床面状態」は、各状態において洗い場床５２０上に存在する除菌水の量をグレースケールで表している。このグレースケールは、色が濃い（黒に近い）ほど除菌水の量が多いことを表す。
【０１０２】
既に述べたとおり、除菌水吐水部１０が除菌水を吐出する最大吐水距離は、除菌水吐水部１０と壁面５４０との間の最大距離よりも長い。このような除菌水吐水部１０を回転させることで、洗い場床５２０の全体に除菌水を吐出することが可能となり、洗い場床の全体を除菌することができる。
【０１０３】
しかしながら、除菌水吐水部１０を回転させると、吐水方向に沿った除菌水吐水部１０と壁面５４０との間の距離が変化する。このような状態において、全方向に同じように吐水を行うと、吐水方向に沿った除菌水吐水部１０と壁面５４０との間の距離の変化に起因して、洗い場床５２０上では除菌水が過剰に吐出される領域が発生してしまう。このため、大量の除菌水が必要となってしまう。
【０１０４】
一方、除菌水吐水部１０から洗い場床５２０上に直接届く除菌水だけでなく、壁面５４０に当たった後に洗い場床５２０上を流れる除菌水も除菌効果を有している。そこで、このような壁面５４０に当たって流れる除菌水も利用して除菌を行うことで、少量の除菌水で洗い場床５２０の全体を除菌することができる。
【０１０５】
例えば、状態ＳＴ１のように、吐水方向に沿った除菌水吐水部１０と壁面５４０との間の距離が短い場合には、除菌水吐水部１０から吐出されて壁面５４０に当たってから洗い場床５２０上に流れる除菌水の量が比較的多い。このため、状態ＳＴ１において吐出される除菌水の総量を少なくしても、単位面積あたりに供給される除菌水の総量を維持することができる。状態ＳＴ１において吐出される除菌水の総量を少なくしても、除菌効果を得ることができる。
【０１０６】
したがって、実施形態によれば、除菌水の吐出方向に沿った除菌水吐水部１０から壁面５４０までの距離が短いときに、必要以上の除菌水が吐出されることを防ぐことができる。これにより、洗い場床５２０の全体に吐出される除菌水の総量を少なくすることができる。
【０１０７】
さらに、実施形態においては、除菌水の吐水方向に沿った除菌水吐水部１０から壁面５４０までの距離が同じときには、洗い場床５２０の上流側に吐出される除菌水の量を、洗い場床５２０の下流側に吐出される除菌水の量よりも少なくしている。洗い場床５２０の上流側に吐出された除菌水は、洗い場床５２０の下流側に流れる。このため、洗い場床５２０の上流側に吐出された除菌水を利用して、洗い場床５２０の下流側も除菌することが可能である。これにより、洗い場床５２０の下流側に吐出される除菌水の量を少なくしても、洗い場床５２０の全体を除菌することができる。
【０１０８】
また、洗い場床５２０上の部位に応じて吐出される除菌水の量を変化させる際に、除菌水の瞬間流量を変化させる方法が考えられる。除菌水吐水部１０から吐出される除菌水の瞬間流量は、除菌水生成部２０における瞬間流量に依存する。しかし、除菌水生成部２０における瞬間流量を変化させると、除菌水生成部２０において生成される除菌水の成分の濃度が変化してしまう。これに対して、実施形態においては、除菌水の瞬間流量を一定として、除菌水吐水部１０の平均回転速度を変化させている。これにより、除菌水の濃度を一定の状態として、洗い場床５２０の所定の範囲に吐出される除菌水の総量を変化させる
ことができる。
【０１０９】
除菌水吐水部１０の平均回転速度を変化させる際に、回転速度を早くしすぎると、トルクが不足して回転に不具合が生じる場合がある。これに対して、実施形態においては、制御部３０は、除菌水吐水部１０が過程する状態と、除菌水吐水部１０が回転を停止する状態と、を切り替える。そして、除菌水吐水部１０が回転を停止する時間の長さを変化させることで、平均回転速度を変化させている。これにより、トルク不足などの不具合を防止することができる。
【０１１０】
次に、残留水排出モードＳ０７における除菌水吐水装置１００の動作について、図１２および図１３を参照して、さらに説明する。
【０１１１】
図１２は、本実施形態における除菌水吐水装置の動作を例示するフローチャートである。図１３は、本実施形態における除菌水吐水装置の動作を説明するタイムチャートである。
【０１１２】
図１２および図１３に表したように、残留水排出モードＳ０７は、第１振動工程Ｓ１７と、第１の振動工程Ｓ１７の後に実行される第２振動工程Ｓ２７と、を有する。
【０１１３】
図１３に表したように、第１の振動工程Ｓ１７においては、除菌水吐水部１０は、回転と停止とを繰り返す。除菌水吐水部１０は、終了位置１０ｅから原点１０ｓまで断続的に回転する。これにより、除菌水吐水部１０が振動する。この振動によって、除菌水吐水部１０内に残留した除菌水の表面張力を低減（破壊）することができる。これにより、除菌水吐水部１０内の流路に残留した除菌水が排出される。
【０１１４】
このような残留水排出モードＳ０７は、洗い場除菌モード（第２除菌水吐水工程Ｓ０５）が実行された直後に実行される。洗い場除菌モードが実行された直後には、洗い場床上には、除菌水によって水膜が形成されている。このため、残留水排出モードＳ０７において排出された除菌水は、水膜の上に落下する。
【０１１５】
洗い場床５２０上に吐出された除菌水が少量である場合には、除菌水は水玉状の残留水となり、排水口まで流れにくい。一方、除菌水が膜状である場合には、除菌水は、洗い場床５２０の排水勾配に沿って排水口まで流れやすい。
【０１１６】
実施形態においては、除菌水吐水部から排出された除菌水を、水膜の上に落下させている。これにより、除菌水吐水部から排出された除菌水を、水膜を形成している除菌水とともに排水口に流すことができる。したがって、除菌水を滞留性の高い吐水形態で吐出するために吐水口の径を小さくした場合であっても、除菌水吐水装置の運転終了から長時間が
経過した後に、残留水が洗い場床上に発生することを防止することができる。
【０１１７】
さらに、第１の振動工程Ｓ１７においては、除菌水吐水部１０を、終了位置１０ｅから原点１０ｓまで回転させている。すなわち、除菌水吐水部１０内に残留した除菌水が落下する位置を変化させながら、除菌水吐水部１０を振動させている。これにより、除菌水が洗い場床５２０上に落下する領域の平面積を大きくすることができる。このため、除菌水吐水部１０から落下した除菌水と、洗い場床５２０上の膜状の除菌水と、が接触する可能性を高めることができる。これにより、除菌水吐水部１０から排出された除菌水を、より確実に、水膜を形成している除菌水とともに排水口に導くことができる。
【０１１８】
第２の振動工程Ｓ２７において、制御部３０は、第１の振動工程Ｓ１７において除菌水吐水部１０に生じる振動とは異なる振動を除菌水吐水部１０に生じさせる。
【０１１９】
振動が異なることによって、第１の振動工程Ｓ１７では排出できなかった除菌水を、第２の振動工程Ｓ２７において排出することができる。これにより、除菌水吐水部１０内に残留した除菌水の量をより少なくすることができる。
【０１２０】
例えば、第２の振動工程Ｓ２７において、制御部３０は、吐水口（第１の吐水口１１および第２の吐水口１２）の位置を、複数の方向に移動させる。すなわち、図１３に表したように、正転動作と反転動作とを交互に繰り返す。
【０１２１】
第２の振動工程では、このような正転動作と反転動作との繰り返しを、突起部１０ｑが回転基準部１０ｐに突き当たってから行う。このため、第２の振動工程において、吐水口が移動する範囲は、第１の振動工程において吐水口が移動する範囲よりも狭い。そして、正転動作と反転動作とを繰り返す度に、突起部１０ｑが回転基準部１０ｐに突き当たる。このため、第２振動工程において第１振動工程よりも強い揺れが吐水口に生じる。これにより、除菌水吐水部内に残留した除菌水の量をさらに少なくすることができる。
【０１２２】
次に、本発明の他の実施形態について、図面を参照しつつ説明する。  
図１４（ａ）および図１４（ｂ）は、本発明の他の実施の形態に係る除菌水吐水装置を例示する模式的平面図である。
図１４（ａ）は、除菌水吐水部１０が設けられたカウンタ５３０ａと、洗い場床５２０と、を上方から見た模式的平面図である。図１４（ｂ）は、図１４（ａ）の除菌水吐水部１０の近傍を拡大して表した模式的平面図である。
【０１２３】
この例では、除菌水吐水部１０が設けられたカウンタ５３０ａの形状が、前述のカウンタ５３０の形状と異なる。これに伴い、洗い場床５２０と除菌水吐水部１０との相対的な配置が、例えば図５に表した例とは、異なる。
【０１２４】
回転基準規定手段１５である回転基準規定部５３４は、カウンタ５３０ａの横方向の端部に位置する支持材５３３に取り付けられている。このため、除菌水吐水部１０は、カウンタ５３０ａの横方向における中央付近ではなく、端部に位置する。
【０１２５】
すなわち、この例では除菌水吐水部１０は、洗い場床５２０の横方向における中央付近ではなく、洗い場床５２０の横方向における端部に設けられている。これ以外については、図１４に表した除菌水吐水装置は、図１〜図１３において説明した除菌水吐水装置１００と同様である。
【０１２６】
既に述べたように、このように除菌水吐水部１０がカウンタに取り付けられる位置が変わっても、カウンタの中心と除菌水吐水部１０が取付られる位置との関係を考慮して、カウンタに回転基準規定部５３４を形成すれば、洗い場床に対応した回転基準を規定することができる。これにより、洗い場床５２０の各部位に応じた最適な吐水を行うことができる。
【０１２７】
この場合でも、図１４（ａ）に表したように、吐水方向に沿った除菌水吐水部１０から壁面５４０までの距離に応じて、除菌水吐水部１０の平均回転速度を変化させる。これにより、洗い場床５２０の部位に応じて、吐出される除菌水の総量を変化させることができる。このようにして、洗い場床５２０の各部位に応じた最適な吐水を行うことができる。
【０１２８】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、除菌水吐水部１０、除菌水生成部２０および制御部３０などが備える各要素の形状、寸法、材質、配置などや除菌水吐水部１０、除菌水生成部２０および制御部３０の設置形態などは、例示したものに限定されるわけではなく適宜変更することができる。
具体的には、除菌水生成部２０を設けず、吐水部１０から水道水を吐出して洗い場床を洗浄するようにしても良い。また、除菌水生成部２０を設けて、吐水部１０から除菌水が吐出される状態と、水道水が吐出される状態とを切り換えできるようにしても良い。このように、吐水部から水道水を吐水して洗い場床を洗浄する場合においても、本発明の特徴を備えている限り、本発明の範囲に包含される。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１２９】
１０ 除菌水吐水部、  １０ｅ 終了位置、  １０ｐ 回転基準部、  １０ｑ 突起部、  １０ｓ 原点、  １０ｘ 回転軸、  １１ 第１の吐水口、  １１ｇ 溝、  １２ 第２の吐水口、  １２ｇ 溝、  １３ 貯水部、  １５ 回転基準規定手段、  １７ モータ、  ２０除菌水生成部、  ３０ 制御部、  ３５ 操作部、  ５１ 給水管、  ５２ 給湯管、  ５３ 止水栓、  ５４ 電磁弁、  ５５ 調圧弁、  ５６ 逆止弁、  θ１ 最大回転角度、  θ２、θ３ 角度、  １００ 除菌水吐水装置、  ５００ 浴室、  ５１０ 浴槽、  ５２０  洗い場床、  ５２１ 排水口、  ５３０、５３０ａ カウンタ、  ５３１ 天板、  ５３２下カバー、  ５３３ 支持材、  ５３４ 回転基準規定部、  ５４０ 壁面、  ５４１〜５４４ 第１〜第４の壁、  Ｄ１〜Ｄ５ 回転角度の範囲、  Ｒ１〜Ｒ５ 洗い場床の領域、Ｓ０１ 原点出しモード、  Ｓ０２ 第１除菌水吐水工程、  Ｓ０３ 止水工程、  Ｓ０４ 原点出しのモード、  Ｓ０５ 第２除菌水吐水工程、  Ｓ０６ 除菌水吐水完了工程、  Ｓ０７ 残留水排出モード、  Ｓ１７ 第１の振動工程、  Ｓ２７ 第２の振動工程、  ＳＴ１〜ＳＴ４ 状態
【図１】
0006724419.tif 000002
【図２】
0006724419.tif 000003
【図３】
0006724419.tif 000004
【図４】
0006724419.tif 000005
【図５】
0006724419.tif 000006
【図６】
0006724419.tif 000007
【図７】
0006724419.tif 000008
【図８】
0006724419.tif 000009
【図９】
0006724419.tif 000010
【図１０】
0006724419.tif 000011
【図１１】
0006724419.tif 000012
【図１２】
0006724419.tif 000013
【図１３】
0006724419.tif 000014
【図１４】
0006724419.tif 000015